(57)【要約】【課題】  簡単な構造のみにより、組立方法を直感的に理解でき、簡易迅速に組立が可能で、かつ、十分な強度や剛性が得られ。【解決手段】  中空板材からなる一枚の矩形状のパネルが折り畳まれることで形成される折り畳み式台１で、パネル中心でパネルを長手方向に沿って谷折りに折り重ね可能とし折り重ねられたパネルが台の梁部２を形成する中央谷折り線部と、中央谷折り線部の両側においてパネルを長手方向に沿って山折りに折り曲げ可能とし折り曲げられたパネルが台の天面部３を形成する一対の長手方向山折り線部と、パネル両端側において中央谷折り線部と直交してパネルを山折りに折り曲げ可能とし折り曲げられたパネルが台の脚部４，５を形成する一対のパネル両端山折り線部と、中央谷折り線部で折り重ねられ長手方向山折り線部で折り曲げられたパネルの両端をパネル両端山折り線部において山折り可能とするパネル切り欠き部とを備える。【選択図】  図１
2013059378.tif 000002
【特許請求の範囲】
【請求項１】
中空構造をなすための立体加工が施されたコア材の表裏両面に平板状の外装材を積層した合成樹脂製の中空板材からなる一枚の矩形状のパネルが折り畳まれることで形成される折り畳み式の台であって、
パネル中心でパネルを長手方向に沿って谷折りに折り重ね可能とし、折り重ねられたパネルが台の梁部を形成する中央谷折り線部と、
前記中央谷折り線部の両側において、当該中央谷折り線部と平行してパネルを長手方向に沿って山折りに折り曲げ可能とし、折り曲げられたパネルが台の天面部を形成する一対の長手方向山折り線部と、
パネル両端側において、前記中央谷折り線部と直交してパネルを山折りに折り曲げ可能とし、折り曲げられたパネルが台の脚部を形成する一対のパネル両端山折り線部と、
前記中央谷折り線部で折り重ねられ、前記一対の長手方向山折り線部で折り曲げられたパネルの両端を、前記一対のパネル両端山折り線部において山折り可能とするパネル切り欠き部と、
を備えたことを特徴とする折り畳み式台。
【請求項２】
前記パネル切り欠き部が、前記一対の長手方向山折り線部のパネル内側領域において、前記中央谷折り線部と一対のパネル両端山折り線部との交点を対称点とする対称位置に形成された一対の対称開口からなり、
前記中央谷折り線部で折り重ねられ、前記一対の長手方向山折り線部で折り曲げられたパネルの両端が、前記一対のパネル両端山折り線部において山折りに折り曲げられることにより、前記各対称開口の内縁と折り曲げられたパネル縁部が当接して、当該パネルの折り曲げ位置が確定して前記脚部が形成される請求項１記載の折り畳み式台。
【請求項３】
前記一対の対称開口の各開口部が、３辺が、前記中央谷折り線部、一対の長手方向山折り線部、及び一対のパネル両端山折り線部の各線に接するとともに、前記中央谷折り線部とパネル両端山折り線部との交点で連続する同形同大の正方形状に形成される請求項２記載の折り畳み式台。
【請求項４】
前記中空板材が、中空状に膨出する多数の突起が形成されたキャップシートと、前記突起の開口側に積層されたバックシートと、前記突起の頂面側に積層されたライナーシートとを備え、これらを熱融着により積層一体化した樹脂製の気泡ボートからなる請求項１乃至３のいずれか一項記載の折り畳み式台。
【請求項５】
前記中央谷折り線部、一対の長手方向山折り線部、及び一対のパネル両端山折り線部が、前記気泡ボードのバックシート側又はライナーシート側に切り込みを入れることによってパネルを折り曲げ可能とする折り部からなる請求項４記載の折り畳み式台。
【発明の詳細な説明】
【技術分野】
【０００１】
本発明は、パネル材を折り畳むことによってテーブルや椅子，ベンチ，棚等として使用可能な折り畳み式の台に関し、特に、合成樹脂製の中空板材からなる一枚の矩形状のパネルが折り畳まれることで、簡易迅速に組立及び分解が可能な折り畳み式台に関する。
【背景技術】
【０００２】
一般に、建物内や屋外等において、段ボールや板材，パネル等を折り曲げて組み立てることができる、簡易式の机やテーブル，椅子等が使用されることがある。
このような簡易折り畳み式の机やテーブル等は、通常の机やテーブル等と比較して、組み立てや設置が簡単に行え、非使用時には段ボールやパネル材を平面状に分解・展開して保管や搬送，撤去等も容易に行えるものであり、特に一時的，応急的な使用に利用されている。
例えば、屋外での行事やレジャー等において一時的に設置される机やテーブル、被災地等に緊急的に設置される椅子やベンチ、被災者が公共の施設（体育館，講堂，公民館等）に避難した場合に使用するテーブルや椅子など、一時的，応急的な使用に好適に利用される。
【０００３】
ここで、このような従来の簡易折り畳み式の机や椅子，テーブル等に関するものとしては、例えば特許文献１〜３に開示されているようなものがある。
特許文献１には、段ボールシート，厚紙シート等を折り曲げて組み立てることで形成される折り畳み自在の机が提案されている。
特許文献２には、一枚の紙製部材（段ボール）を折り畳んで組み立てることができる簡易組立式の椅子が提案されている。
また、特許文献３には、段ボール紙や合成樹脂板を折り畳んで形成されるテーブルが提案されている。
このような簡易式の机や椅子，テーブル等は、一枚の段ボール等の板材を折り畳んで組み立てるだけで机や椅子，テーブル等を形成することができ、非使用時には一枚のシート状に分解・展開して保管や搬送等も簡便に行えることから、特に一時的，緊急的な机や椅子として好適に使用することができる。
【先行技術文献】
【特許文献】
【０００４】
【特許文献１】実公昭６３−３５６４３号公報
【特許文献２】特開平１１−３２８６２号公報
【特許文献３】特開２００１−２９９４５６号公報
【発明の概要】
【発明が解決しようとする課題】
【０００５】
しかしながら、以上のような従来の簡易組立式の机や椅子等は、組立が容易であるとはいえ、机や椅子等の形に完成させるには、複雑な折り曲げ構造や折り曲げ部同士の嵌合や固定等の作業が必要であった。
このため、例えば組立を初めて行う者や不慣れな者にとっては、組立方法や折り畳み方法がわかりにくかったり、組立作業を簡単に行えない可能性があった。
【０００６】
また、段ボールや厚紙製のシート，合成樹脂シートは、シート自体には十分な強度がないことから、机や椅子にかかる荷重を支持するためには、複雑な組立・折り曲げ構造や嵌合構造等を取る必要があった。
このため、特に机や椅子への荷重が加わる脚部の構造が複雑となり、また、そのような構造を得るための補助的な部品等も必要となり、組立方法や組立作業も煩雑でわかりにくいものとなる傾向があった。
このように、特許文献１〜３に提案されているような従来の組立式の机や椅子等では、簡易組立式でありながら、必ずしも組立・分解作業等が容易とは言えないという問題があった。
【０００７】
また、段ボールや厚紙製，樹脂製のシート材は、容易に折り曲がってしまい、本来の折り曲げ箇所以外の部分が折り曲げられてしまうおそれもあり、また、組立・分解作業が繰り返されると、シート材の端部や嵌合部分等が劣化や破損するおそれがあり、特に段ボール製や厚紙製のシート材は、耐久性に欠け繰り返しの使用は困難であった。
さらに、段ボールや厚紙製のシート材は、耐水性，防水性にも乏しく、水に濡れると使用が困難乃至不可能になってしまい、降雨時や水辺での使用等、水に濡れる可能性のある使用・用途への対応が困難であるという問題もあった。
【０００８】
そこで、本発明者は以上のような従来技術の課題に鑑みて鋭意研究を重ねた結果、一般に気泡ボードと称される樹脂製の中空板に着目し、かかる気泡ボードを用いて単一のパネルのみによって簡易組立式の机や椅子，テーブル等として使用可能な折り畳み式の台を構成することにより、誰にでも容易に組立・分解作業が行え、シンプルな構造でありながら机や椅子等としての強度や剛性が十分に得られ、耐久性や耐水性，防水性にも優れた折り畳み式の机や椅子，テーブル等を実現できることを見出し、本発明を完成するに至ったものである。
【０００９】
すなわち、本発明は、上述した従来の問題を解決するために提案されたものであり、きわめて簡単な構造のみによって、組立方法を直感的に理解でき、簡易迅速に組立・分解が行え、複雑な構造や補助具等を必要とすることなく台としての十分な強度や剛性が得られ、繰り返しの使用にも耐え得る耐久性もあり、耐水性，防水性等にも優れた折り畳み式台の提供を目的とする。
【課題を解決するための手段】
【００１０】
上記目的を達成するため本発明の折り畳み式台は、中空構造をなすための立体加工が施されたコア材の表裏両面に平板状の外装材を積層した合成樹脂製の中空板材からなる一枚の矩形状のパネルが折り畳まれることで形成される折り畳み式の台であって、パネル中心でパネルを長手方向に沿って谷折りに折り重ね可能とし、折り重ねられたパネルが台の梁部を形成する中央谷折り線部と、中央谷折り線部の両側において、当該中央谷折り線部と平行してパネルを長手方向に沿って山折りに折り曲げ可能とし、折り曲げられたパネルが台の天面部を形成する一対の長手方向山折り線部と、パネル両端側において、中央谷折り線部と直交してパネルを山折りに折り曲げ可能とし、折り曲げられたパネルが台の脚部を形成する一対のパネル両端山折り線部と、中央谷折り線部で折り重ねられ、一対の長手方向山折り線部で折り曲げられたパネルの両端を、一対のパネル両端山折り線部において山折り可能とするパネル切り欠き部と、を備えた構成としてある。
【００１１】
このような構成からなる本発明の折り畳み式台によれば、矩形状の中空板材からなるパネルに、中央谷折り線部，長手方向山折り線部，パネル両端山折り線部の３種類の折り線部を形成し、この３種の折り線部に沿ってパネルを折り曲げるだけで折り畳み式台を形成することができる。すなわち、３回の折り曲げ作業・折り曲げ動作によって、一枚のパネル材をテーブルや椅子，机等として使用可能な台として形成することができる。
このため、パネルの折り畳み作業、折り畳み式台の組立作業はきわめて簡単で、経験のない者や不慣れな者等であっても、組立方法を直感的に理解でき、折り畳み式台の組立作業を容易に行うことが可能となる。
【００１２】
また、本発明の折り畳み式台は、所定の厚みを有する中空板材からなるパネルを使用して、折り曲げたパネル同士の厚みのある縁部端面を当接させることでパネルの折り曲げ位置を規制して台としての形状を確定できるようにしてある。
これによって、補助的な部品等を必要とすることなく、パネルを折り曲げるだけで台としての形状を、容易かつ確実に誤りなく形成し、かつ、堅固に維持・固定することができる。
さらに、合成樹脂製の中空板材からなるパネルは、軽量かつ柔軟で、非使用時のパネルの保管や運搬等も容易に行えるとともに、耐久性や耐水性，防水性等にも優れ、折り曲げ折り畳みを繰り返してもパネルが劣化したり破損することがなく、水に濡れるような場所での使用にも対応でき、折り畳み式台として繰り返し使用することが可能となる。
【発明の効果】
【００１３】
以上のように、本発明の折り畳み式台によれば、きわめて簡単な構造のみによって、組立方法を直感的に理解でき、簡易迅速に組立・分解が可能となり、複雑な構造や補助具等を必要とすることなく十分な強度や剛性が得られる。
また、中空板材からなるパネルは繰り返しの使用にも耐え得る耐久性もあり、耐水性，防水性等にも優れている。
従って、本発明によれば、簡易折り畳み式の机や椅子，テーブル，棚などに好適に使用することができる折り畳み式台を提供することができる。
【図面の簡単な説明】
【００１４】
【図１】本発明の一実施形態に係る折り畳み式台の組立完成状態の外観を示す斜視図であり、（ａ）は台を平面側から見た状態、（ｂ）は同じく底面側から見た状態を示している。
【図２】図１に示す折り畳み式台の（ａ）は平面図、（ｂ）は正面図、（ｃ）は右側面図である。
【図３】図１に示す折り畳み式台を形成するパネルの組立前の状態を示す図であり、（ａ）は平面図、（ｂ）は底面図である。
【図４】本発明の一実施形態に係る折り畳み式台を形成するパネルを構成する中空板材を示す要部斜視図であり、（ａ）は三層構成の気泡ボードを示しており、（ｂ）は（ａ）に示す気泡ボードの端部（縁部）を封止材で封止した場合を示している。
【図５】本発明の一実施形態に係る折り畳み式台を形成するパネルに備えられる折り線部（折り部）の一例を示す説明図であり、切り込み（ハーフカット）加工された折り部が形成されたパネルの要部平面を示している。
【図６】本発明の一実施形態に係る折り畳み式台を形成するパネルに備えられる折り線部（折り部）の一例を示す説明図であり、折り部が切り込み（ハーフカット）加工された図７のＡ−Ａ断面を示す断面図である。
【図７】本発明の一実施形態に係る折り畳み式台を形成するパネルに備えられる折り線部（折り部）の一例を示す説明図であり、折り部が切り込み（ハーフカット）加工された図７のＢ−Ｂ断面を示す断面図である。
【図８】本発明の一実施形態に係る折り畳み式台を形成するパネルに備えられる折り線部（折り部）の一例を示す説明図であり、折り部がＶ字加工されている場合を示している。
【図９】図３に示すパネルを折り畳んで図１に示す折り畳み式台を組み立てる途中の状態を示す図であり、（ａ）は平面側から見た状態、（ｂ）は同じく底面側から見た状態を示している。
【図１０】図９に引き続いて、図３に示すパネルを折り畳んで図１に示す折り畳み式台を組み立てる途中の状態を示す図であり、（ａ）は平面側から見た状態、（ｂ）は同じく底面側から見た状態を示している。
【図１１】図９〜１０に示す組立途中の折り畳み式台１の正面図であり、（ａ）は脚部の折り畳み前の状態、（ｂ）は同じく折り畳み途中の状態、（ｃ）は同じく折り畳みが完成した状態をそれぞれ示している。
【図１２】本発明の他の実施形態に係る折り畳み式台を形成するパネルの組立前の状態を示す平面図であり、（ａ）は図３に示す折り畳み式台と比較して脚部を長く形成する場合、（ｂ）は同じく脚部を短く形成する場合を示している。
【図１３】本発明の他の実施形態に係る折り畳み式台を形成するパネルの組立前の状態を示す平面図であり、（ａ）は図３に示す折り畳み式台と比較して台の天面部を広く形成する場合、（ｂ）は同じく天面部を狭く形成する場合を示している。
【図１４】本発明の他の実施形態に係る折り畳み式台を示す図であり、（ａ）は図３に示す折り畳み式台に支柱挿入用切り欠き部を形成したパネルの組立前の平面図、（ｂ）は（ａ）に示すパネルを組み立てて支柱を挿入した状態の斜視図を示している。
【発明を実施するための形態】
【００１５】
以下、本発明に係る折り畳み式台の実施形態について、図面を参照して説明する。
図１は、本発明の一実施形態に係る折り畳み式台の組立完成状態の外観を示す斜視図であり、（ａ）は台を平面側から見た状態、（ｂ）は同じく底面側から見た状態を示している。
また、図２は、図１に示す本実施形態に係る折り畳み式台の（ａ）は平面図、（ｂ）は正面図、（ｃ）は右側面図である。
さらに、図３は、図１に示す本実施形態に係る折り畳み式台を形成するパネルの組立前の状態を示す図であり、（ａ）は平面図、（ｂ）は底面図である。
【００１６】
［折り畳み式台］
これらの図に示すように、本実施形態の折り畳み式台１は、中空構造をなすための立体加工が施されたコア材の表裏両面に平板状の外装材を積層した合成樹脂製の中空板材からなる一枚の矩形状のパネルが折り畳まれることで、机やテーブル，椅子，ベンチ，棚，ベッド等として使用可能な台状に形成される折り畳み式の台である。
組み立てられた折り畳み式台１は、建物内や屋外等の任意の設置場所に設置・立設されて使用することができる。
【００１７】
具体的には、本実施形態に係る折り畳み式台１は、一枚のパネルが折り畳まれることにより、図１〜２に示すように、梁部２（２ａ，２ｂ），天面部３（３ａ，３ｂ），一対の脚部４（４ａ，４ｂ），５（５ａ，５ｂ）とを備えた台として形成されるようになっている。
そして、この折り畳み式台１を形成するパネルは、図３に示すように、長方形状の一枚のパネル材からなり、パネル材の所定箇所に折れ線加工及び切り欠き加工が形成されており、その折れ線加工部及び切り欠き加工部によって一枚のパネルが台を構成する形状に折り曲げて組み立てられるようになっている。
【００１８】
図３に示すように、折り畳み式台１を形成するためのパネルには、中央谷折り線部１１，長手方向山折り線部１２（１２ａ，１２ｂ），パネル両端山折り線部１３（１３ａ，１３ｂ）の３種類の折れ線加工が形成されている。
また、パネルには、パネル両端側にそれぞれパネル切り欠き部１５（１５ａ，１５ｂ），１６（１６ａ，１６ｂ）が形成されている。
なお、以下に説明する中央谷折り線部１１，長手方向山折り線部１２，パネル両端山折り線部１３の折れ線加工は、後述するように切り込み加工やＶ字加工により、パネルが所望の方向に向かって谷折り又は山折りに折り曲げ可能となるように形成される（後述する図５〜図８参照）。
【００１９】
中央谷折り線部１１は、パネル中心でパネルを長手方向に沿って谷折りに折り重ね可能となる折れ線加工部である。中央谷折り線部１１で折り重ねられることで、パネルは長手方向に沿って二つ折りにされることになる。
そして、この中央谷折り線部１１において谷折りに折り重ねられたパネルが、台の梁部２（２ａ，２ｂ）を形成することになる（図１〜２参照）。
【００２０】
長手方向山折り線部１２（１２ａ，１２ｂ）は、中央谷折り線部１１の両側において、中央谷折り線部１１と平行してパネルを長手方向に沿って山折りに折り曲げ可能とする２本一対の折れ線加工部である。
具体的には、長手方向山折り線部１２ａ，１２ｂは、中央谷折り線部１１で２つに仕切られたパネルの各領域のそれぞれにおいて、各パネル領域の中心で中央谷折り線部１１と平行してパネルを長手方向に折り曲げられるようにしている。
この一対の長手方向山折り線部１２ａ，１２ｂにおいて山折りに折り曲げられたパネルが、台の天面部３（３ａ，３ｂ）を形成することになる（図１〜２参照）。従って、パネルは、長手方向山折り線部１２において少なくとも９０度折り曲げられるようになっており、梁部２を形成するパネルに対して、天面部３を形成するパネルが９０度の角度になるようになっている。
【００２１】
なお、長手方向山折り線部１２ａ，１２ｂの位置は、本実施形態では、中央谷折り線部１１で２つに仕切られたパネルの各領域のそれぞれ中心としてあるが、この位置は変更することができる。
長手方向山折り線部１２ａ，１２ｂの形成位置を、中央谷折り線部１１で２つに仕切られたパネル領域において中央谷折り線部１１と平行して変更・移動させることで、組み立てられた台の天面部３ａ，３ｂ及び脚部４ａ，４ｂ，５ａ，５ｂの幅を変えることができる。
従って、例えば折り畳み式台１の大きさや用途等に応じて、長手方向山折り線部１２ａ，１２ｂの形成位置を調整することで、天面部３を広く、あるいは狭くすることができる（後述する図１３も参照）。
【００２２】
パネル両端山折り線部１３（１３ａ，１３ｂ）は、パネル両端側において、中央谷折り線部１１と直交してパネルを山折りに折り曲げ可能とする２本一対の折れ線加工部である。
そして、この一対のパネル両端山折り線部１３ａ，１３ｂにおいて山折りに折り曲げられたパネルが台の脚部４（４ａ，４ｂ），５（５ａ，５ｂ）を形成することになる（図１〜２参照）。従って、パネルは、パネル両端山折り線部１３において少なくとも９０度折り曲げられるようになっており、天面部３を形成するパネルに対して、脚部４，５を形成するパネルが９０度の角度となるようになっている。
このように、パネル両端山折り線部１３ａ，１３ｂは、中央谷折り線部１１と交差（直交）してパネル両端の領域をそれぞれ同一の一定幅に仕切るようになっており、パネル両端山折り線部１３ａ，１３ｂで仕切られたパネル両端の幅が、組み立てられた台の脚部４，５の長さ（高さ）となる。また、パネル両端山折り線部１３ａ，１３ｂで仕切られたパネル中間領域の長さが、組み立てられた台の天面部３の長さ（横幅）となる。
従って、パネル両端山折り線部１３ａ，１３ｂの形成位置を変更することにより、組み立てられる台の高さ、台の天面の広さ（横幅）が変更されることになる（後述する図１２も参照）。
【００２３】
パネル切り欠き部１５（１５ａ，１５ｂ），１６（１６ａ，１６ｂ）は、中央谷折り線部１１で折り重ねられ、一対の長手方向山折り線部１２ａ，１２ｂで折り曲げられたパネルの両端を、一対のパネル両端山折り線部１３ａ，１３ｂにおいて山折り可能とするための切り欠き加工部である。
このパネル切り欠き部１５，１６が備えられることにより、脚部４，５を形成するためのパネル両端部が、先に折り曲げられて形成されている梁部２と干渉することなく、パネル両端山折り線部１３ａ，１３ｂにおいて台内側に向かって折り曲げられるようになる。
【００２４】
具体的には、パネル切り欠き部１５，１６は、一対の脚部４，５に対応してパネル長手方向の両端にそれぞれ形成される一対の切り欠き加工部となっている。
本実施形態では、パネル切り欠き部１５，１６は、図３に示すように、一対の長手方向山折り線部１２ａ，１２ｂのパネル内側領域において、中央谷折り線部１１と一対のパネル両端山折り線部１３ａ，１３ｂとの各交点を対称点とする対称位置に形成された２個一組の対称形状の開口からなっている。この２個一組の対称開口が、パネル両端の対応する位置に形成されて、一対のパネル切り欠き部１５，１６を構成するようになっている。
【００２５】
より具体的には、本実施形態のパネル切り欠き部１５，１６は、２個一組の対称開口の各開口部が同形同大の正方形状に形成されている。そして、各開口を構成する正方形は、正方形の３辺が、中央谷折り線部１１、長手方向山折り線部１２ａ又は１２ｂ、及びパネル両端山折り線部１３ａ又は１３ｂの各線に接するとともに、中央谷折り線部１１とパネル両端山折り線部１３ａ又は１３ｂとの交点で連続（連通）する同形同大の正方形状に形成されている。
このような２個一組の対称開口からなるパネル切り欠き部１５，１６を備えることで、中央谷折り線部１１で折り重ねられ、一対の長手方向山折り線部１２ａ，１２ｂで折り曲げられたパネルの両端が、一対のパネル両端山折り線部１３ａ，１３ｂにおいて山折りに折り曲げられることにより、各対称開口の内縁と折り曲げられたパネル縁部が当接して、パネルの折り曲げ位置が確定して脚部４，５が形成されることになる（図１，図２（ｂ）参照）。
【００２６】
そして、これによって、脚部４，５と梁部２の端面同士が当接して位置決めされ、脚部４，５が天面部３に対して９０度折り曲げられた状態で、かつ、天面部３が梁部２に対して９０度折り曲げられた状態で、折り畳み式台１は、その形状が確定・保持されることになる（図２（ｂ）参照）。
従って、折り畳み式台１の折り曲げ・組立作業は、中央谷折り線部１１，長手方向山折り線部１２，パネル両端山折り線部１３の３つの折り線部においてパネルを折り曲げるだけで、折り畳み式台１を形成することができ、３回の折り曲げ作業・折り曲げ動作によって、梁部２に対して９０度折り曲げられた天面部３、天面部３に対して９０度折り曲げられた脚部４，５の形状を確定・維持することできる。これにより、折り畳み式台１の折り曲げ・組立作業は、誰が行っても直感的に理解でき、確実に完了できる、きわめて容易なものとなる。
なお、以上のようなパネル切り欠き部１５，１６は、上述したパネル両端山折り線部１３ａ，１３ｂの形成位置が変更・移動された場合には、それに伴ってパネル切り欠き部１５，１６の形成位置も変更・移動されることになる（後述する図１２参照）。
【００２７】
また、以上のようにして組み立てられる折り畳み式台１を構成するパネルには、図示はしていないが、組み立てられた折り畳み式台１の形状を保持・固定するための保持手段，固定手段を備えることができる。
具体的には、パネルの折り重ねられる部分の所定箇所、例えば折り重ねられた梁部２ａ，２ｂや、この梁部２ａ，２ｂに当接する脚部４ａ，４ｂ，５ａ，５ｂの重ねられた部分に、接合部品を挿入可能な貫通孔を形成しておき、折り重ねられたパネルが面接触した状態で、貫通孔に接合部品が挿入されることで、パネル同士が接合されて、組み立てられた折り畳み式台１の形状を保持・固定することができる。
【００２８】
ここで、このような接合部品用の貫通孔は、折り重ねられたパネルを一体的に貫通できる箇所であれば、貫通孔の位置や数は特に限定されるものではなく、パネルの大きさや厚み等に応じて設定することができる。
また、パネルに形成する貫通孔は、使用する接合部品に対応した大きさ・形状に形成される。
貫通孔に挿通して使用する接合部品としては、例えば一般的なボルト・ナットや、段ボール留め具（所謂Ｐジョイント），リベットなどを使用することができ、パネルに形成する貫通孔は、それら接合部品に適合した大きさ、形状に形成される。
また、接合部品を用いずに、パネルの重なり部分を粘着材，粘着シート等を用いて接合・接着させることもできる。この場合、分解・組立が繰り返せるように、接着及び剥離が繰り返し可能な粘着度の低い粘着材，粘着シートを用いることが好ましい。
【００２９】
［気泡ボード］
次に、以上のような本実施形態の折り畳み式台１となるパネルを構成する中空板材について説明する。
図４は、本実施形態に係る折り畳み式台１を構成するパネルとなる中空板材を示す要部斜視図であり、（ａ）は三層構成の気泡ボードを示しており、（ｂ）は（ａ）に示す気泡ボードの端部（縁部）を封止材で封止した場合を示している。
【００３０】
本実施形態に係る折り畳み式台１を構成するパネルは、図４（ａ）に示す中空構造をなすための立体加工が施されたコア材の表裏両面に平板状の外装材を積層してなる合成樹脂製の中空板材からなっている。このような中空板材としては、一般に、気泡ボート、プラスチック段ボールなどと称されるものが知られているが、独立した多数の気泡内に空気が封入され、より断熱性に優れていることから、図４（ａ）に示すような気泡ボード１００を用いるのが好ましい。
図４（ａ）に示す気泡ボード１００は、中空状に膨出する多数の突起１０３が成形されたコア材としてのキャップシート１０２と、突起１０３内に空気を封入して気泡を形成する一方の外装材としてのバックシート１０１と、突起１０３の頂面側に積層された他方の外装材としてのライナーシート１０４とを備えている。
【００３１】
このような気泡ボード１００は、例えば、図示しない多数のキャビティ孔が設けられた成形ロールの外周面に、シート状に連続して繰り出される溶融樹脂を接触させて中空状に膨出する多数の突起１０３を真空成形することによってキャップシート１０２を形成しつつ、このキャップシート１０２を、突起１０３の開口側に供給されたバックシート１０１と、突起１０３の頂面側に供給されたライナーシート１０４とで挟み込み、これらを熱融着により積層一体化し、しかる後に所定の形状に切り出すことによって製造することができる。
なお、上記のようにして気泡ボード１００を製造するにあたり、バックシート１０１、キャップシート１０２、ライナーシート１０４のそれぞれの厚みは、気泡ボード１００に要求される強度、剛性などを考慮して適宜調整することができる。通常は、例えば１００μｍ〜１．５ｍｍ程度とすることができる。
【００３２】
所定の形状に切り出された気泡ボード１００の端縁には、必要に応じて、図４（ｂ）に示すように、帯状の封止材１０５を熱融着などによって取り付けるようにしてもよい。このようにすることで、気泡ボード１００の内部に異物が侵入してしまうのを防止するとともに、それぞれの気泡１０３の間にも空気が封入されるようにして、さらなる断熱性の向上を図ることもできる。
また、以上のような気泡ボード（中空板材）１００の材料樹脂としては、例えば、ポリプロピレン，ポリエチレン等のポリオレフィン系樹脂、ポリスチレン等のポリスチレン系樹脂、ポリエチレンテレフタレート等のポリエステル系樹脂、ナイロン等のポリアミド系樹脂などを挙げることができる。但し、これらに限定はされない。
【００３３】
［折り部］
以上のような気泡ボード１００に対して、所定の折れ線加工を施すことにより、上述した中央谷折り線部１１，長手方向山折り線部１２，パネル両端山折り線部１３の３種類の折れ線部が形成され、また、パネルを裁断・切り取り加工を施すことで一対のパネル切り欠き部１５，１６が形成される。
以下、所定の折れ線加工により形成される中央谷折り線部１１，長手方向山折り線部１２，パネル両端山折り線部１３となる折り部２００について、図５〜図８を参照しつつ説明する。
【００３４】
中央谷折り線部１１，長手方向山折り線部１２，パネル両端山折り線部１３となる折り部２００は、所定の形状・大きさに形成されたパネル（気泡ボード１００）の所定箇所に切り込み（ハーフカット）加工を入れて形成することができ、これによって折り部２００に沿ってパネルを所望の方向に折り曲げ可能に構成することができる。
折り部２００を形成する際に切り込み（ハーフカット）を入れるのは、気泡ボード１００のバックシート１０１側、ライナーシート１０４側のいずれであってもよいが、図５〜７示す例では、気泡ボード１００のバックシート１０１側に切り込み２０１を入れることによって折り部２００を形成している。これによって、気泡ボード１００は切り込み２０１を入れたバックシート１０１側からライナーシート１０４側に折り曲げ可能となる。従って、パネル（気泡ボード１００）の底面側に切り込み２０１を形成することで当該部分を谷折りに、パネル平面側に切り込み２０１を形成することで山折りに折り曲げることができるようになる。
よって、中央谷折り線部１１はパネル底面側に切り込み２０１を入れて形成し、長手方向山折り線部１２及びパネル両端山折り線部１３はパネル平面側に切り込み２０１を入れることで形成することができる。
【００３５】
ここで、図５は、図４に示す気泡ボード１００をバックシート側から見た拡大図であり、図５のＡ−Ａ断面図を図６（ａ）に示し、当該部位を折り部２００で折り曲げた状態を図６（ｂ）に示す。同様に、図５のＢ−Ｂ断面図を図７（ａ）に示し、当該部位を折り部２００で折り曲げた状態を図７（ｂ）に示す。
これらの図に示すように、突起１０３がない部位では、キャップシート１０２とバックシート１０１との融着部を切断するように切り込み２０１を入れ（図６（ａ）参照）、ライナーシート１０４のみが屈曲して折り部２００が形成されるようになる（図６（ｂ）参照）。
これに対して、突起１０３がある部位では、バックシート１０１と突起１０３の側壁部とを切断するように切り込み２０１を入れ（図７（ａ）参照）、ライナーシート１０４に突起１０３の頂面が融着された部分が屈曲して折り部２００が形成されるようになる（図７（ｂ）参照）。
【００３６】
これにより、折り部２００は、ライナーシート１０４のみからなる部分と、ライナーシート１０４に突起１０３の頂面が融着されて二重構造となっている部分とが交互に配置されて形成されることになる。したがって、気泡ボード１００に切り込み２０１を入れて形成された折り部２００は、ライナーシート１０４に突起１０３の頂面が融着された二重構造となっている部分によって部分的に補強されて、折り部２００の曲げ易さを損なわない程度に強度が高められている。すなわち、折り部２００を補強するために、例えば、折り部２００を形成しようとする部位にシート材を積層して二重構造としただけでは、折り部２００が折り曲げにくくなって、パネルの折り曲げ性，組み立て性に支障をきたすおそれがあるが、本実施形態にあっては、折り部２００が部分的に二重構造となるために、その曲げ易さを損なうことなく適度に折り部２００が補強されることになる。
【００３７】
また、曲げ易さを損なうことなく折り部２００の強度をさらに高めるために、例えば、ポリエチレン系樹脂フィルムなどのような柔軟なフィルム材を気泡ボード１００に積層することもできる。
このとき、バックシート１０１側に切り込み２０１を入れて折り部２００を形成するのであれば、ライナーシート１０４側の面、すなわち、切り込み２０１を入れる側とは反対側の面に、必要に応じて接着剤を介するなどして当該フィルム材を積層することができる。
【００３８】
なお、特に図示しないが、気泡ボード１００のライナーシート１０４側から切り込み２０１を入れて折り部２００を形成する場合、突起１０３がない部位では、ライナーシート１０４を切断するように切り込み２０１を入れ、キャップシート１０２とバックシート１０１との融着部が屈曲して折り部２００を形成することになる。一方、突起１０３がある部位では、ライナーシート１０４に突起１０３の頂面が融着された部分と突起１０３の側壁部とを切断するように切り込み２０１を入れ、バックシート１０１が屈曲して折り部２００を形成することになる。
いずれにしても、形成された折り部２００は、バックシート１０１のみからなる部分と、バックシート１０１にキャップシート１０２が融着されて二重構造となっている部分とが交互に配置されて形成されることになり、折り部２００が部分的に二重構造となって、その曲げ易さを損なうことなく適度に折り部２００が補強されることになる。
【００３９】
また、以上のような切り込み加工による折り部２００以外にも、例えば図８に示すようなＶ字加工を施すことによりパネルに折り部２００を形成することができる。
図８は、上述した図６に対応する気泡ボード１００（パネル）の断面図であり、図６で示した切り込み２０１に換えてＶ字加工部２０２を形成したものである。
同図に示すＶ字加工部２０２は、気泡ボード１００には、加熱鏝を当てるなどして断面Ｖ字状に溶融して形成するものであり、このＶ字加工部２０２を設けることによって、図８（ｂ）に示すように、気泡ボード１００はＶ字加工部２０２が設けられた側に折り曲げられるようになる。従って、この場合には、中央谷折り線部１１はパネル平面側にＶ字加工部２０２を設けて形成し、長手方向山折り線部１２及びパネル両端山折り線部１３はパネル底面側にＶ字加工部２０２を設けることで形成することができる。
なお、このような溶融加工して形成されるＶ字加工部２０２は、気泡ボード１００の一部が線状に押し潰された状態となっており、Ｖ字加工部２０２で囲まれた範囲には空気が封入されるようになる。このため、気泡ボード１００の端縁に封止材１０５（図４（ｂ）参照）を取り付けなくとも、当該範囲における気泡に空気が封入され、これによって気泡ボード１００（パネル）の断熱性を向上させることができる。
【００４０】
［折り畳み式台の組立方法］
次に、以上のような構成からなる本実施形態の折り畳み式台１を組み立てる手順（組立方法）について図９〜１１を参照して説明する。
図９は、図３で示した平面上のパネルを折り畳んで図１に示すような折り畳み式台１を組み立てる途中の状態を示す図であり、（ａ）は平面側から見た状態、（ｂ）は同じく底面側から見た状態を示している。
図１０も、図９に引き続いて、折り畳み式台１を組み立てる途中の状態を示す図であり、（ａ）は平面側から見た状態、（ｂ）は同じく底面側から見た状態を示している。
図１１は、図９〜１０に示す組立途中の折り畳み式台１の正面図であり、（ａ）は脚部の折り畳み前の状態、（ｂ）は同じく折り畳み途中の状態、（ｃ）は同じく折り畳みが完成した状態をそれぞれ示している。
【００４１】
まず、図３に示した平面状に展開された状態のパネルを、図９〜１０に示すように、パネル中心の中央谷折り線部１１において谷折りに折り曲げ、パネルを２つ折りの状態となるように折り重ねていく。
この折り重ねが完了した後、あるいは、この折り重ねと並行して、図９〜１０に示すように、一対の長手方向山折り線部１２ａ，１２ｂにおいて、天面部３ａ，３ｂを形成するパネルを山折りに折り曲げる。このとき、天面部３ａ，３ｂを形成するパネルが、梁部２を形成する中央谷折り線部１１で折り重ねられたパネルに対して、最終的に９０度折り曲げられるようにする。このとき、パネルを正面から見ると図１１（ａ）に示すような状態となる。
【００４２】
また、この天面部３を形成するパネルの折り曲げが完了した後、あるいは、この折り曲げと並行して、図９〜１０に示すように、一対のパネル両端山折り線部１３ａ，１３ｂにおいて、脚部４ａ，４ｂ，５ａ，５ｂを形成するパネルを山折りに折り曲げる。このとき、脚部４ａ，４ｂ，５ａ，５ｂを形成するパネルが、天面部３ａ，３ｂを形成するパネルに対して、最終的に９０度折り曲げられるようにする。
このとき、図９〜１０に示すように、パネル両端に形成された一対のパネル切り欠き部１５，１６を構成する各２個一組の対称開口が展開して、中央谷折り線部１１で折り重ねられ、一対の長手方向山折り線部１２ａ，１２ｂで折り曲げられたパネルの両端が、一対のパネル両端山折り線部１３ａ，１３ｂにおいて山折りに折り曲げ可能となる（図１１（ｂ）参照）。
そして、一対のパネル両端山折り線部１３ａ，１３ｂにおいてパネルが９０度山折りに折り曲げられると、パネル切り欠き部１５，１６の各対称開口の内縁と折り曲げられたパネル縁部が当接して、パネルの折り曲げ位置が確定して脚部４，５が形成されることになる（図１，図２（ｂ）に示す状態）。このとき、パネルを正面から見ると図１１（ｃ）に示すような状態となる。
【００４３】
以上のようなパネルの折り曲げ・組み立ての際の、パネル切り欠き部１５，１６の対称開口の内縁と折り曲げられたパネル縁部が当接する状態を、図１１（ａ）〜（ｃ）を参照しつつ説明する。
まず、図１１（ａ）に示す状態では、パネルは、中央谷折り線部１１で折り重ねられるとともに、一対の長手方向山折り線部１２ａ，１２ｂで折り曲げられ、梁部２及び天面部３が形成された状態で、パネル両端山折り線部１３ａ，１３ｂにおいて折り曲げられていない。
この状態から、図１１（ｂ）に示すように、パネル両端を一対のパネル両端山折り線部１３ａ，１３ｂにおいて山折りに折り曲げていく。このとき、パネル切り欠き部１５，１６の対称開口内に、折り曲げられたパネル縁部が入り込んでいく。
【００４４】
具体的には、図１１（ｂ）に示すように、パネル正面側からみると、梁部２ｂを形成するパネル縁部がパネル切り欠き部１５ｂ内に、また、脚部４ｂを形成するパネル縁部がパネル切り欠き部１６ｂ内に入り込んでいく。
同様に、図示は省略するが、パネル背面側からみると、梁部２ａを形成するパネル縁部がパネル切り欠き部１６ａ内に、また、脚部５ａを形成するパネル縁部がパネル切り欠き部１５ａ内に入り込んでいく。
これにより、パネル縁部同士が干渉・衝突することなく、パネルはパネル両端山折り線部１３ａ，１３ｂにおいて折り曲げられることになる。
【００４５】
そして、一対のパネル両端山折り線部１３ａ，１３ｂにおいてパネルが９０度山折りに折り曲げられると、図１１（ｃ）に示す状態となり、パネル切り欠き部１５，１６の各対称開口の内縁と折り曲げられたパネル縁部が当接する。
これによって、パネルの折り曲げ位置が確定して、９０度に折り曲げられた脚部４，５が位置決めされて形成されることになる。
以上により、脚部４，５と梁部２の端面同士が当接して位置決めされ、脚部４，５が天面部３に対して９０度折り曲げられた状態で、かつ、天面部３が梁部２に対して９０度折り曲げられた状態で、折り畳み式台１は、その形状が確定・保持されることになる（図１１（ｃ），図２（ｂ）参照）。
【００４６】
このようにして、折り畳み式台１の折り曲げ・組立作業は完成する。
なお、以上のようなパネルの折り重ね・折り曲げ作業に先立ち、中央谷折り線部１１，長手方向山折り線部１２，パネル両端山折り線部１３の各折り線部を、それぞれ予め仮に折り曲げておき、各折り線部においてパネルを折り曲げし易くしておくことができる。
また、この組立完成状態において、パネルの折り重ねられた部分、例えば折り重ねられた梁部２ａ，２ｂや、この梁部２ａ，２ｂに当接している脚部４ａ，４ｂ，５ａ，５ｂの天面下側のパネルが重なる部分に、図示しない接合部品を挿入・貫通させて、あるいは粘着材や接着シート等を用いて、折り重ねられたパネルが面接触した状態でパネル同士を接合する。これによって、組み立てられた折り畳み式台１の形状を保持・固定することができる。
【００４７】
以上のようにして、折り畳み式台１の折り曲げ・組立作業は、中央谷折り線部１１，長手方向山折り線部１２，パネル両端山折り線部１３の３つの折り線部においてパネルを折り曲げるだけで、折り畳み式台１を形成することができ、３回の折り曲げ作業・折り曲げ動作によって、梁部２に対して９０度折り曲げられた天面部３、天面部３に対して９０度折り曲げられた脚部４，５の形状を確定・維持することできる。
これにより、折り畳み式台１の折り曲げ・組立作業は、誰が行っても直感的に理解でき、確実に完了できる、きわめて容易なものとなる。
【００４８】
［変更実施形態］
次に、以上のような本実施形態に係る折り畳み式台１の変更実施形態の一例を図１２〜図１４を参照して説明する。
図１２は、上述した折り畳み式台１の変更実施形態を示す、パネルの組立前の状態を示す平面図であり、（ａ）は図３に示す折り畳み式台と比較して脚部を長く形成する場合、（ｂ）は同じく脚部を短く形成する場合を示している。
同図に示すように、折り畳み式台１を形成するパネルは、パネル両端山折り線部１３（１３ａ，１３ｂ）と、これに接するパネル切り欠き部１５，１６の位置を、パネル長手方向（図面左右方向）に沿って移動・変更することができる。これによって、組み立てられる台の高さ、台の天面の広さ（横幅）を変更することが可能となる。
【００４９】
図１２（ａ）に示す例では、パネル両端山折り線部１３（１３ａ，１３ｂ）及びパネル切り欠き部１５，１６を、図３に示したパネルよりもパネル内側に形成してあり、対向するパネル両端山折り線部１３ａと１３ｂ、パネル切り欠き部１５と１６の間隔が狭くなるようになっている。このようにすると、パネルが組み立てられた状態で、折り畳み式台１は、上述した図３の場合と比較して、脚部４を長く形成することができ、折り畳み式台１の高さをより高く、天面部３をより狭くすることができる。従って、折り畳み式台１を例えば高椅子などに使用する場合には、このように構成することが好ましい。
一方、図１２（ｂ）に示す例では、パネル両端山折り線部１３（１３ａ，１３ｂ）及びパネル切り欠き部１５，１６を、図３に示したパネルよりもパネル外側に形成してあり、対向するパネル両端山折り線部１３ａと１３ｂ、パネル切り欠き部１５と１６の間隔が広くなるようになっている。このようにすると、パネルが組み立てられた状態で、折り畳み式台１は、上述した図３の場合と比較して、脚部４を短く形成することができ、折り畳み式台１の高さをより低く、天面部３をより広くすることができる。従って、折り畳み式台１を例えばテーブルや長椅子，縁台などに使用する場合には、このように構成することが好ましい。
【００５０】
図１３は、上述した折り畳み式台１の他の変更実施形態を示す、パネルの組立前の状態を示す平面図であり、（ａ）は図３に示す折り畳み式台と比較して台の天面部を広く形成する場合、（ｂ）は同じく天面部を狭く形成する場合を示している。
同図に示すように、折り畳み式台１を形成するパネルは、台の天面部３（３ａ，３ｂ）を形成する部分の面積を、パネル縁部をパネル長手方向と平行な方向（図面上下方向）に沿って移動・変更することで拡張又は縮小することができ、これによって折り畳み式台１の天面部の面積を変更することができる。
また、この場合、台の脚部４を形成するパネル両端部は、天面部３を形成するパネル縁部の移動に伴って、パネル外側又は内側に傾斜させるようにすることが好ましい。このようにすると、特に天面部３の面積を拡張させる場合に、脚部４よりも外側に突出する天面部３を、傾斜する脚部４によって支持させることができ、天面部３の強度を保持することができる。
【００５１】
図１３（ａ）に示す例では、天面部３を形成するパネルの縁部を、図３に示したパネルよりもパネル外側に移動して、パネルの面積を拡張させている。また、このパネル縁部に連続する脚部４を形成するパネルは、パネル外側に傾斜するように形成される。このようにすると、折り畳み式台１の天面部３を、図３の場合と比較して、より広くすることができ、大きなテーブルや寝台，手術台などに好適に使用することができる。
一方、図１３（ｂ）に示す例では、天面部３を形成するパネルの縁部を、図３に示したパネルよりもパネル内側に移動して、パネルの面積を縮小させている。また、このパネル縁部に連続する脚部４を形成するパネルは、パネル内側に傾斜するように形成される。このようにすると、折り畳み式台１の天面部３を、図３の場合と比較して、より狭くすることができ、一人用のテーブルや長椅子などとして好適に使用できるようになる。また、この場合、脚部４の底面幅が天面部３の横幅より大きくなることから台の設置安定性をより向上させることができる効果もある。
【００５２】
図１４は、上述した折り畳み式台１の更に他の変更実施形態を示す図であり、（ａ）は図３に示す折り畳み式台に支柱挿入用切り欠き部を形成したパネルの組立前の平面図、（ｂ）は（ａ）に示すパネルを組み立てて支柱を挿入した状態の斜視図を示している。
同図に示すように、折り畳み式台１を形成するパネルは、梁部２ａ，２ｂを形成する部分のいずれか一方に、任意の箇所に切り欠き部（支柱挿入用切り欠き部１７）を形成することができる。
このような切り欠き部１７を形成することで、パネルが組み立てられた状態において、天面部３ａ，３ｂの間に、パネルの折り部の厚み分のスリットができ、このスリットに台上方から板状部材（支柱）を挿入することができる。そして、挿入された板状部材は、図１４（ｂ）に示すように、天面部３の下から台底面側に貫通・突出することになる。このとき、梁部２ａ，２ｂを形成するパネルのうち切り欠き部１７を形成していないパネルに対して、台底面側に突出している板状部材を、例えばボルトや固着具，接着手段等を用いて固定することができる。
【００５３】
従って、このような切り欠き部１７が形成するスリットに挿入可能な板状部材を支柱として、例えば間仕切り用のパーテーションや日よけ用の傘、宣伝広告用の看板など、支柱に取り付けて支持可能な任意の部材を折り畳み式台１に取り付けることができる。
図１４に示す例では、切り欠き部１７を、梁部２ｂ側のパネルの台中央位置一箇所に形成してある。そして、切り欠き部１７が形成するスリットに挿入可能な板状部材を支柱としてパーテーションを取り付けており、これによって、折り畳み式台１を天面中心から両側に仕切ることができ、例えば複数の使用者によって使用されるテーブルなどにおいて、各使用者同士を仕切ることができるようになる。
また、図示しないが、支柱に日よけ用の傘を取り付けることで、例えば野外で使用されるテーブルなどにおいて、日よけや雨よけとすることができ、バーベキューや海水浴等の野外での使用に好適に用いることができる。
なお、このような支柱挿入用の切り欠き部１７は、図１４に示した台の中央部一箇所に設ける場合に限定されることはなく、任意の複数箇所に設けることができ、梁部２ａ，２ｂを形成する双方のパネルに対して形成することもできる。
【００５４】
以上説明したように、本実施形態に係る折り畳み式台１によれば、矩形状の中空板材からなるパネルに、中央谷折り線部１１，長手方向山折り線部１２，パネル両端山折り線部１３の３種類の折り線部を形成し、この３種の折り線部に沿ってパネルを折り曲げるだけで折り畳み式台１を形成することができる。すなわち、３回の折り曲げ作業・折り曲げ動作によって、一枚のパネル材をテーブルや椅子，机等として使用可能な台として形成することができる。
このため、パネルの折り畳み作業、折り畳み式台の組立作業はきわめて簡単で、経験のない者や不慣れな者等であっても、組立方法を直感的に理解でき、折り畳み式台１の組立作業を容易に行うことが可能となる。
【００５５】
また、本実施形態に係る折り畳み式台１は、所定の厚みを有する中空板材からなるパネル（気泡ボード１００）を使用して、折り曲げたパネル同士の厚みのある縁部端面を当接させることでパネルの折り曲げ位置を規制・確定できるようにしてある。
これによって、折り畳み式台１の脚部４，５と梁部２を、折り曲げた状態でパネル端面同士を当接させて位置を固定することができる。従って、補助的な部品や器具等を必要とすることなく、パネル自体を折り曲げるだけで、台としての形状を容易かつ確実に形成し、かつ、堅固に維持・固定することができる。
さらに、合成樹脂製の中空板材である気泡ボード１００からなるパネルは、軽量かつ柔軟で、非使用時のパネルの保管や運搬等も容易に行えるとともに、耐久性や耐水性，防水性等にも優れ、折り曲げ折り畳みを繰り返してもパネルが劣化したり破損することがなくなる。従って、例えば水に濡れるような場所でも使用にも対応でき、汚れた場合にも水洗い等により洗浄が可能であり、折り畳み式台として繰り返し使用することが可能となる。
【００５６】
以上のように、本実施形態に係る折り畳み式台１によれば、きわめて簡単な構造のみによって、組立方法を直感的に理解でき、簡易迅速に組立・分解が可能となり、複雑な構造や補助具等を必要とすることなく十分な強度や剛性が得られる。
また、中空板材からなるパネルは繰り返しの使用にも耐え得る耐久性もあり、耐水性，防水性等にも優れている。
従って、本実施形態に係る折り畳み式台１によれば、簡易折り畳み式の机や椅子，テーブル，棚などに好適に使用することができる台を提供することができる。
【００５７】
以上、本発明の折り畳み式台について、好ましい実施形態を示して説明したが、本発明の折り畳み式台は、前述した実施形態にのみ限定されるものではなく、本発明の範囲で種々の変更実施が可能であることは言うまでもない。
例えば、上述した実施形態では、本発明に係る折り畳み式台を形成するための中空板材として、コア材として多数のキャップを有するキャップシートを備えた気泡ボードを例にとって説明したが、本発明の折り畳み式台を形成するための中空板材としては、気泡ボードに限られず、その他の中空板材，中空パネル等を使用することができる。例えば、気泡ボードに代えて、コア材がハニカム構造により形成された中空板材、コア材が段ボール状に形成された中空板材（所謂プラ段）などを使用することもできる。
【００５８】
また、上述した実施形態では、コア材となるキャップシートを一層のみ備えているが、キャップシートは複数層備えるようにすることもできる。例えば二層のキャップシートを積層してコア材とすることができる。
その場合、各キャップシートは、突起頂面側同士を対向させて配置することが好ましい。このようにすると、二層のキャップシートの突起を、バックシート及びライナーシートによってそれぞれ封止・密封することができ、二層のキャップシートの突起をそれぞれ気泡として機能させることができるようになる。
また、バックシート及びライナーシートからなる外装材についても、それぞれ複数層設けることも可能である。また、外装材を金属板により形成したり、外装材の表面に樹脂層等を積層して外装材をコーティングすることもできる。
【産業上の利用可能性】
【００５９】
本発明は、建物内や屋外等において一枚のパネル材を折り畳むことによってテーブルや椅子，ベンチ，棚等として使用可能な折り畳み式の台として利用可能であり、特に、組み立てや設置が簡単に行え、保管や搬送，撤去等も容易な折り畳み式台として好適に利用可能である。
【符号の説明】
【００６０】
１  折り畳み式台
２（２ａ，２ｂ）  梁部
３（３ａ，３ｂ）  天面部
４（４ａ，４ｂ）  脚部
５（５ａ，５ｂ）  脚部
１１  中央谷折り線部
１２（１２ａ，１２ｂ）  長手方向山折り線部
１３（１３ａ，１３ｂ）  パネル両端山折り線部
１５（１５ａ，１５ｂ）  パネル切り欠き部
１６（１６ａ，１６ｂ）  パネル切り欠き部
１７  支柱挿入用切り欠き部
１００  気泡ボード突起
１０１  バックシート
１０２  キャップシート
１０３  突起
１０４  ライナーシート
１０５  封止材
２００  折り部
２０１  切り込み
２０２  Ｖ字加工
【図１】
2013059378.tif 000003
【図２】
2013059378.tif 000004
【図３】
2013059378.tif 000005
【図４】
2013059378.tif 000006
【図５】
2013059378.tif 000007
【図６】
2013059378.tif 000008
【図７】
2013059378.tif 000009
【図８】
2013059378.tif 000010
【図９】
2013059378.tif 000011
【図１０】
2013059378.tif 000012
【図１１】
2013059378.tif 000013
【図１２】
2013059378.tif 000014
【図１３】
2013059378.tif 000015
【図１４】
2013059378.tif 000016